(57)【要約】【課題】パネル端子部の信号入力端子から表示領域の透明電極に至る引き回し配線が通される非表示領域が狭い場合であっても、必要とする本数の引き回し配線を確保する。【解決手段】第１透明電極（例えばコモン電極）２３と第２透明電極（例えばセグメント電極）１２とが形成された一方のパネル基板２１と他方のパネル基板１１とを周辺シール材３１を介して貼り合わせて形成されるセル１ａ内に液晶物質が封入される液晶セル１Ａを含み、一方のパネル基板２１側にパネル端子部２２が連設されており、パネル端子部２２に、それぞれ所定の配線経路を介して第１透明電極２３と第２透明電極１２とに接続される第１信号入力端子４３と第２信号入力端子４２とが形成されている液晶表示素子において、第１信号入力端子４３の一部の特定入力端子と第１透明電極２３のうちの上記特定入力端子に対応する特定透明電極とを接続する配線経路の一部分を他方のパネル基板１１側に形成する。【選択図】図１
2008033134.tif 000002
【特許請求の範囲】
【請求項１】
それぞれ内面に互いに対向する第１透明電極と第２透明電極とが形成された一方のパネル基板と他方のパネル基板とを周辺シール材を介して貼り合わせて形成されるセル内に液晶物質が封入される液晶セルを含み、上記一方のパネル基板側にパネル端子部が連設されており、上記パネル端子部に、それぞれ所定の配線経路を介して上記第１透明電極と上記第２透明電極とに接続される第１信号入力端子と第２信号入力端子とが形成されている液晶表示素子において、
上記第１信号入力端子の一部の特定入力端子と上記第１透明電極のうちの上記特定入力端子に対応する特定透明電極とを接続する配線経路の一部分が、上記他方のパネル基板側に形成されていることを特徴とする液晶表示素子。
【請求項２】
上記配線経路の一部分には、上記特定入力端子を上記一方のパネル基板から上記他方のパネル基板側に導くように上記周辺シール材に形成された第１トランスファ部と、一端が上記第１トランスファ部に接続されるように上記他方のパネル基板に形成されたジャンパ配線部と、上記ジャンパ配線部の他端を上記他方のパネル基板から上記一方のパネル基板側に導くように上記周辺シール材に形成された第２トランスファ部とが含まれていることを特徴とする請求項１に記載の液晶表示素子。
【請求項３】
上記ジャンパ配線部が、上記他方のパネル基板側の上記第２透明電極を含む表示領域と上記周辺シール材との間の非表示領域に配線されていることを特徴とする請求項２に記載の液晶表示素子。
【請求項４】
駆動方式が単純マトリクス方式で、上記第１透明電極と上記第２透明電極のいずれか一方がコモン電極でいずれか他方がセグメント電極であるとともに、上記第１透明電極と上記第２透明電極とを含む表示領域には、所定の画像を表示する表示本体部と、上記表示本体部に隣接された部分で背景色を表示する背景表示部とが含まれ、上記特定透明電極が上記背景表示部に配置されるダミー電極であることを特徴とする請求項１ないし３のいずれか１項に記載の液晶表示素子。
【発明の詳細な説明】
【技術分野】
【０００１】
本発明は液晶表示素子に関し、さらに詳しく言えば、パネル端子部の信号入力端子から表示領域の透明電極に至る配線の引き回し技術に関するものである。
【背景技術】
【０００２】
単純マトリクス駆動方式の液晶表示素子では、それぞれストライプ状に形成されたコモン電極（走査電極）とセグメント電極（信号電極）とを直交状とし、それらの間に液晶を挟んで対向的に配置してなる液晶セルを備え、コモン電極とセグメント電極の交点部分を最小画素単位として所定の画像を表示する。
【０００３】
図３の分解斜視図により、上記液晶セルの一般的な構成について説明する。液晶セル１は、例えばガラス材からなり対向的に配置される第１パネル基板１１と第２パネル基板２１とを備える。この例では、第２パネル基板２１側に図示しない外部基板（多くの場合、フレキシブル基板）が接続されるパネル端子部２２が連設されているが、パネル基板１１，２１の各々にパネル端子部が設けられることもある。
【０００４】
またこの例では、第１パネル基板１１の内面側にセグメント電極１２が形成され、第２パネル基板２１の内面側にコモン電極２３が形成されている。セグメント電極１２とコモン電極２３は、ともにＩＴＯ（Ｉｎｄｉｕｍ  Ｔｉｎ  Ｏｘｉｄｅ）などの透明電極材（以下、ＩＴＯ材と記すことがある。）によりストライプ状に形成され、互いに直交するように配置される。
【０００５】
第１パネル基板１１と第２パネル基板２１は、パネル端子部２２以外の部分が枠状の周辺シール材３１を介して貼り合わされ、それによって形成されるセル１ａ内にＴＮやＳＴＮなどの所定の液晶物質が封入される。なお、各パネル基板１１，２１の内面には配向膜などが設けられ、また、各パネル基板１１，２１の外面には偏光膜などが設けられるが、ここではその説明は省略する。
【０００６】
パネル端子部２２には、セグメント電極１２用の信号入力端子４２と、コモン電極２３用の信号入力端子４３とが形成されている。信号入力端子４２は周辺シール材３１に設けられているトランスファ部３２を介してセグメント電極１２と接続され、信号入力端子４３は周辺シール材３１を潜ってセル１ａ内に引き込まれ、所定の引き回し配線を介してコモン電極２３に接続される。通常、各信号入力端子４２，４３および引き回し配線は、電極形成工程でＩＴＯ材により形成される。
【０００７】
ＣＯＧ（Ｃｈｉｐ  Ｏｎ  Ｇｌａｓｓ）型の場合には、図３に示すように、パネル端子部２２にＬＳＩもしくはＩＣなどのベアチップ４１が実装される。このベアチップ４１は、図示しない外部基板から供給される液晶駆動信号を処理し、所定のタイミングで信号入力端子４２，４３にそれぞれ液晶駆動信号を出力する。
【０００８】
ところで、セグメント電極１２とコモン電極２３は、液晶セル１の表示領域２内に設けられるが、例えば図示しないベゼルケース（液晶表示素子の外装ケース）の設計によっては、表示領域２に本来の画像を表示する表示本体部２ａのほかに、この表示本体部２ａに隣接した部分で背景色を表示する背景表示部２ｂが含まれることがある。なお、表示領域２と周辺シール材３１との間が、例えば上記ベゼルケースの遮光部にて覆われる非表示部で、非表示部に引き回し配線などが形成される。
【０００９】
このように、表示領域２に背景表示部２ｂが含まれる場合、背景表示部２ｂに背景表示電圧を印加するためのダミー電極が必要となる。そのため、この例においては、第１パネル基板１１側では、セグメント電極１２を背景表示部２ｂまで引き延ばしてセグメント側ダミー電極１３としている。
【００１０】
また、第２パネル基板２１側では、図４に示すように、コモン電極２３とは別に背景表示部２ｂにコモン側ダミー電極２４を形成するようにしている。なお、表示本体部に背景表示部が隣接して配置され、その背景表示部に背景表示電圧を印加するためのダミー電極を設ける点は例えば特許文献１に記載されている。
【００１１】
【特許文献１】特開平９−１６００６５号公報
【発明の開示】
【発明が解決しようとする課題】
【００１２】
上記したように背景表示部２ｂにダミー電極を設ける場合、第１パネル基板１１側ではセグメント電極１２を引き延ばすことで対応できるが、第２パネル基板２１側ではコモン電極２３とは別に背景表示部２ｂにコモン側ダミー電極２４を設けなければならないため、次のような問題が生ずる。
【００１３】
すなわち、一例としてコモン側ダミー電極２４を１０本必要とする場合、その引き回し配線も１０本となるが、表示領域２と周辺シール材３１との間の非表示領域のスペース的な制約により、その全部を通せない場合がある。
【００１４】
このような場合、従来技術では、図４に示すように例えばコモン側ダミー電極用の引き回し配線を４３ａ，４３ｂの２本とし、その各々を５分岐させて背景表示部２ｂに設けるようにしている。すなわち、各引き回し配線４３ａ，４３ｂにそれぞれ５本のコモン側ダミー電極２４を持たせるようにしている。
【００１５】
しかしながら、これによると、表示本体部２ａ内のコモン電極２３と、背景表示部２ｂ内のコモン側ダミー電極２４との抵抗値が異なるため、表示本体部２ａを背景色とした場合、背景表示部２ｂの背景色と表示本体部２ａの背景色とが同じ表示状態にならず、表示品質が劣化してしまうことになる。
【００１６】
したがって、本発明の課題は、パネル端子部の信号入力端子から表示領域の透明電極に至る引き回し配線が通される非表示領域が狭い場合であっても、必要とする本数の引き回し配線を確保し、表示品質の劣化を防止することにある。
【課題を解決するための手段】
【００１７】
上記課題を解決するため、本発明は、それぞれ内面に互いに対向する第１透明電極と第２透明電極とが形成された一方のパネル基板と他方のパネル基板とを周辺シール材を介して貼り合わせて形成されるセル内に液晶物質が封入される液晶セルを含み、上記一方のパネル基板側にパネル端子部が連設されており、上記パネル端子部に、それぞれ所定の配線経路を介して上記第１透明電極と上記第２透明電極とに接続される第１信号入力端子と第２信号入力端子とが形成されている液晶表示素子において、上記第１信号入力端子の一部の特定入力端子と上記第１透明電極のうちの上記特定入力端子に対応する特定透明電極とを接続する配線経路の一部分が、上記他方のパネル基板側に形成されていることを特徴としている。
【００１８】
本発明において、上記配線経路の一部分には、上記特定入力端子を上記一方のパネル基板から上記他方のパネル基板側に導くように上記周辺シール材に形成された第１トランスファ部と、一端が上記第１トランスファ部に接続されるように上記他方のパネル基板に形成されたジャンパ配線部と、上記ジャンパ配線部の他端を上記他方のパネル基板から上記一方のパネル基板側に導くように上記周辺シール材に形成された第２トランスファ部とが含まれる。
【００１９】
また、本発明において、上記ジャンパ配線部は上記他方のパネル基板側の上記第２透明電極を含む表示領域と上記周辺シール材との間の非表示領域に配線される。
【００２０】
また、本発明には、好ましい態様として、駆動方式が単純マトリクス方式で、上記第１透明電極と上記第２透明電極のいずれか一方がコモン電極でいずれか他方がセグメント電極であるとともに、上記第１透明電極と上記第２透明電極とを含む表示領域には、所定の画像を表示する表示本体部と、上記表示本体部に隣接された部分で背景色を表示する背景表示部とが含まれ、上記特定透明電極が上記背景表示部に配置されるダミー電極である液晶表示素子が含まれる。
【発明の効果】
【００２１】
本発明によれば、パネル端子部の信号入力端子から表示領域の透明電極に至る引き回し配線の一部分を相手方の他方のパネル基板の空き領域を利用して通すことができるため、引き回し配線が配置される非表示領域にスペース的に制約があっても、必要とする本数の引き回し配線を確保することができる。
【発明を実施するための最良の形態】
【００２２】
次に、図１および図２により本発明の実施形態について説明するが、本発明はこれに限定されるものではない。図１は本発明の液晶表示素子が備える液晶セルを示す模式的な分解斜視図，図２は本発明の要部を示す模式図である。なお、先の図３，図４で説明した液晶セル１と変更を要しない構成要素には、それと同じ参照符号を用いている。
【００２３】
図１に示すように、この実施形態に係る液晶セル１Ａは、先の図３，図４で説明した液晶セル１と同じく、表示領域２に本来の画像を表示する表示本体部２ａと、この表示本体部２ａに隣接した部分で背景色を表示する背景表示部２ｂとが含まれている液晶セルで、例えばガラス材からなり対向的に配置される第１パネル基板１１と第２パネル基板２１とを備える。
【００２４】
この例においても、第２パネル基板２１側に図示しない外部基板（多くの場合、フレキシブル基板）が接続されるパネル端子部２２が連設されているが、パネル基板１１，２１の各々にパネル端子部が設けられてもよい。
【００２５】
またこの例においても、第１パネル基板１１の内面側にセグメント電極１２が形成され、第２パネル基板２１の内面側にコモン電極２３が形成されている。セグメント電極１２とコモン電極２３は、ともにＩＴＯ材によりストライプ状に形成され、互いに直交するように配置される。
【００２６】
セグメント電極１２とコモン電極２３は表示本体部２ａに配置され、背景表示部２ｂには背景表示電圧を印加するためのダミー電極が設けられる。第１パネル基板１１側のセグメント側ダミー電極１３はセグメント電極１２の延長部分により形成されるが、第２パネル基板２１側のコモン側ダミー電極２４については、図２に示し、また先の図４に示したように表示本体部２ａ内のコモン電極２３とは別に形成される。
【００２７】
第１パネル基板１１と第２パネル基板２１は、パネル端子部２２以外の部分が枠状の周辺シール材３１を介して貼り合わされ、それによって形成されるセル１ａ内にＴＮやＳＴＮなどの所定の液晶物質が封入される。なお、図示しないが、各パネル基板１１，２１の内面には配向膜などが設けられ、また、各パネル基板１１，２１の外面には偏光膜などが設けられる。
【００２８】
パネル端子部２２には、セグメント電極用の信号入力端子４２と、コモン電極用の信号入力端子４３とが形成されている。なお、コモン電極用の信号入力端子４３には、コモン電極２３に対する信号入力端子と、コモン側ダミー電極２４に対する信号入力端子とが含まれている。
【００２９】
この例での液晶セル１ＡはＣＯＧ型であるため、パネル端子部２２にＬＳＩもしくはＩＣなどのベアチップ４１が実装されている。このベアチップ４１は、図示しない外部基板から供給される液晶駆動信号を処理し、所定のタイミングで信号入力端子４２，４３にそれぞれ液晶駆動信号を出力する。信号入力端子４２は周辺シール材３１に設けられているトランスファ部３２を介してセグメント電極１２と接続される。
【００３０】
これに対して、信号入力端子４３のうちのコモン電極２３に対する信号入力端子は周辺シール材３１を潜ってセル１ａ内に引き込まれ、所定の引き回し配線を介してコモン電極２３に接続されるが、この実施形態において、コモン側ダミー電極２４に対する信号入力端子は、第１パネル基板１１（請求項１での他方のパネル基板に相当）を経由してコモン側ダミー電極２４に接続される。
【００３１】
これについて図２により説明する。例えば、コモン側ダミー電極２４に対する信号入力端子（請求項１での特定信号入力端子に相当）が４３１〜４３４の４本であるとすると、この信号入力端子４３１〜４３４は、周辺シール材３１に形成されているトランスファ部３３により第１パネル基板１１側に導かれる。
【００３２】
第１パネル基板１１の内面側には、信号入力端子４３１〜４３４に対応するジャンパ配線１４（１４１〜１４４）が形成されている。ジャンパ配線１４１〜１４４は電極形成工程でＩＴＯ材により形成されることが好ましい。
【００３３】
ジャンパ配線１４１〜１４４は、第１パネル基板１１における表示領域２と周辺シール材３１との間の非表示領域に配線され、その一端がトランスファ部３３を介して信号入力端子４３１〜４３４と接続され、他端は反パネル端子部２２側の側辺にまで延びている。
【００３４】
また、周辺シール材３１のジャンパ配線１４１〜１４４の他端側が位置する部分にはトランスファ部３４が形成されており、このトランスファ部３４によりジャンパ配線１４１〜１４４は第２パネル基板２１側に導かれる。
【００３５】
第２パネル基板２１には、トランスファ部３４から背景表示部２ｂに至り、背景表示部２ｂ内のコモン側ダミー電極２４と接続される引き回し配線４３１ａ〜４３４ａが形成されている。
【００３６】
したがって、コモン側ダミー電極２４に対する信号入力端子４３１〜４３４は、トランスファ部３３，ジャンパ配線１４１〜１４４，トランスファ部３４および引き回し配線４３１ａ〜４３４ａを介してコモン側ダミー電極２４と接続されることになるため、第２パネル基板２１の引き回し配線を通す非表示領域にスペース的な制約がある場合でも、コモン側ダミー電極２４に対して必要とされる本数の引き回し配線を確保することができる。
【００３７】
これにより、設計上無理なく、表示本体部２ａ内のコモン電極２３と、背景表示部２ｂ内のコモン側ダミー電極２４との抵抗値の差が少なくすることができるため、表示本体部２ａを背景色とした場合、背景表示部２ｂの背景色と表示本体部２ａの背景色とをほぼ同じ表示状態とすることができる。
【００３８】
この場合、信号入力端子４３１は引き回し配線４３１ａと接続され、以下同様に、４３２は４３２ａと、４３３は４３３ａと、４３４は４３４ａとそれぞれ接続されるため、信号入力端子４３１〜４３４と引き回し配線４３１ａ〜４３４ａはその配列順が逆になるが、背景表示部２ｂは背景表示電圧によるオフ点灯であるため、背景色表示への悪影響は見られない。
【００３９】
なお、背景色表示への悪影響がでない範囲で、引き回し配線４３１ａ〜４３４ａを分岐させて、その各々に複数本のコモン側ダミー電極２４を接続することもできる。また、上記実施形態では、コモン側ダミー電極２４に対する信号入力端子を第１パネル１１基板側を経由してコモン側ダミー電極２４に接続するようにしているが、表示本体部２ａ内のコモン電極用の信号入力端子を第１パネル１１基板側に経由させてもよい。
【００４０】
また、上記実施形態とは反対に、第１パネル基板１１側にコモン電極が形成され、第２パネル基板２１側にセグメント電極が形成されている場合にも、上記と同様にして本発明を適用することができる。さらには、第１パネル基板１１と第２パネル基板２１の各々にパネル端子部が連設されている場合でも、本発明を適用することができる。
【図面の簡単な説明】
【００４１】
【図１】本発明の液晶表示素子が備える液晶セルの実施形態を示す模式的な分解斜視図。
【図２】本発明の要部を示す模式図。
【図３】従来の液晶セルを示す模式的な分解斜視図。
【図４】上記従来の液晶セルにおけるコモン側のパネル基板を示す模式的な平面図。
【符号の説明】
【００４２】
１Ａ  液晶セル
２  表示領域
２ａ  表示本体部
２ｂ  背景表示部
１１  第１パネル基板
１２  セグメント電極
１３  セグメント側ダミー電極
１４（１４１〜１４４）  ジャンパ配線
２１  第２パネル基板
２２  パネル端子部
２３  コモン電極
２４  コモン側ダミー電極
３１  周辺シール材
３２〜３４  トランスファ部
４１  ベアチップ
４２  セグメント電極用信号入力端子
４３  コモン電極用信号入力端子
４３１〜４３４  コモン側ダミー電極用信号入力端子
４３１ａ〜４３４ａ  コモン側ダミー電極用引き回し配線
【図１】
2008033134.tif 000003
【図２】
2008033134.tif 000004
【図３】
2008033134.tif 000005
【図４】
2008033134.tif 000006